(57)【特許請求の範囲】
【請求項１】
開口に設けられ、上枠、下枠、及び、左右の縦枠が矩形状に枠組みされた枠体、
前記枠体に設けられ、面材と、当該面材の周縁を保持する上框、下框、及び、左右の縦框が矩形状に枠組みされた框体と、を備えた障子、及び、
前記上枠と前記左右の縦枠とに取り外し可能に取り付けられ、前記枠体及び前記障子を見込み方向における一方側から見たときに、前記上框と前記左右の縦框との前記一方側の側面を覆う覆い部材、を有し、
前記上枠及び前記左右の縦枠は、前記覆い部材が取り付けられる取付孔を有し、
前記取付孔は、見込み方向に沿う面に設けられており、
前記上枠及び前記左右の縦枠は、前記覆い部材が取り付けられる取付部を有し、
前記取付部は、見付け方向に向かって開放された凹部であり、
前記障子は、開かれる際に見込み方向における他方側に突出し、
前記障子の前記一方側には、前記覆い部材が前記上枠と前記左右の縦枠とに取り付けられることにより取付可能となり、前記覆い部材が前記上枠と前記左右の縦枠とに取り付けられた状態で、前記覆い部材を介して取り外し可能に取り付けられる網戸を有することを特徴とする建具。
【請求項２】
請求項１に記載の建具であって、
前記網戸の網戸用框の上部には、上下に移動可能なスライド部材を有し、
前記スライド部材が上方に移動されて、前記上枠に取り付けられた前記覆い部材に設けられた上方に窪む部位に挿入されることにより前記網戸が取り付けられることを特徴とする建具。
【請求項３】
請求項１または請求項２に記載の建具であって、
前記上枠及び前記左右の縦枠はそれぞれ、断熱部材を介して見込み方向連結された異なる２つの部材にて構成されており、
前記覆い部材は、前記２つの部材のうちのいずれか一方のみに取り付けられていることを特徴とする建具。
【発明の詳細な説明】
【技術分野】
【０００１】
本発明は、開口に設けられた枠体と、前記枠体に設けられ面材及び当該面材を保持する框を備えた障子と、を有する建具に関する。
【背景技術】
【０００２】
建物の開口部に取り付けられた枠体に、ガラスパネルと該ガラスパネルの外周端部に取り付けられた框とを備えた障子を有する建具（開口部装置）が知られている（特許文献１参照）。この建具は、障子が有する一対の縦框と一対の横框のうちの少なくとも一方の一部又は全部が、室内側又は室外側正面視で見えないように、開口部を形成する壁の周縁部、例えば額縁や枠体により覆われて隠蔽されている。
【特許文献１】特開２００７−１７７４３１号公報
【発明の開示】
【発明が解決しようとする課題】
【０００３】
しかしながら、障子の框は必ずしも隠蔽しなければならないものではないにも拘わらず、枠体等により框を隠蔽する構造とするために枠体の形状が複雑になったり、サイズが大きくなったりして、コストが高騰する畏れがある。このため、框を隠蔽して美観に優れた建具を求めるユーザーと、コストを抑えた建具を求めるユーザーとの要望に応えるために、１つの仕様の製品に対し２種類の枠体を備えると、在庫の管理が煩雑になると共に、広い保管場所が必要となるという課題がある。
【０００４】
本発明は、かかる課題に鑑みてなされたものであり、その目的とするところは、枠体を変更することなく框を視界から隠すことが可能な建具を提供することにある。
【課題を解決するための手段】
【０００５】
かかる目的を達成するために本発明の建具は、開口に設けられ、上枠、下枠、及び、左右の縦枠が矩形状に枠組みされた枠体、
前記枠体に設けられ、面材と、当該面材の周縁を保持する上框、下框、及び、左右の縦框が矩形状に枠組みされた框体と、を備えた障子、及び、
前記上枠と前記左右の縦枠とに取り外し可能に取り付けられ、前記枠体及び前記障子を見込み方向における一方側から見たときに、前記上框と前記左右の縦框との前記一方側の側面を覆う覆い部材、を有し、
前記上枠及び前記左右の縦枠は、前記覆い部材が取り付けられる取付孔を有し、
前記取付孔は、見込み方向に沿う面に設けられており、
前記上枠及び前記左右の縦枠は、前記覆い部材が取り付けられる取付部を有し、
前記取付部は、見付け方向に向かって開放された凹部であり、
前記障子は、開かれる際に見込み方向における他方側に突出し、
前記障子の前記一方側には、前記覆い部材が前記上枠と前記左右の縦枠とに取り付けられることにより取付可能となり、前記覆い部材が前記上枠と前記左右の縦枠とに取り付けられた状態で、前記覆い部材を介して取り外し可能に取り付けられる網戸を有することを特徴とする建具である。
【０００６】
このような建具によれば、障子が備える上框及び左右の縦框の一方側の側面を覆う覆い部材が上枠、及び、左右の縦枠に取り付けられているので、見込み方向における一方側から見たときには、上枠、及び、左右の縦枠に取り付けられた覆い部材により障子の上框及び左右の縦框が見えないように隠すことが可能である。すなわち、上枠、及び、左右の縦枠に覆い部材を取り付けるだけで、既存の枠体を変更することなく、一方側からの視界から上框及び左右の縦框を隠すことが可能である。
【０００７】
また、覆い部材を取り付けるための取付孔が見込み方向に沿う面に設けられているので、覆い部材を用いない場合や取り外した場合であっても、取付孔は屋内側や屋外側から視認されにくい。このため、覆い部材を用いない場合や取り外した場合であっても美観に優れた建具を提供することが可能である。
【０００８】
また、覆い部材を取り付けるための取付部は見付け方向に開放された凹部なので、覆い部材を用いない場合や取り外した場合であっても、取付孔は屋内側や屋外側から視認されにくい。このため、覆い部材を用いない場合や取り外した場合であっても美観に優れた建具を提供することが可能である。
【０００９】
また、障子は開かれる際に見込み方向における他方側に突出するため、網戸は障子の一方側に設けられる。また、覆い部材は、上框と左右の縦框との一方側の側面を覆うために設けられるので障子の一方側に設けられる。このため、網戸を取り付けるための部位が枠体に設けられていなくとも、枠体に覆い部材を取り付けることによって網戸を、覆い部材を介して取り付けることが可能である。
【００１０】
かかる建具であって、前記網戸の網戸用框の上部には、上下に移動可能なスライド部材を有し、前記スライド部材が上方に移動されて、前記上枠に取り付けられた前記覆い部材に設けられた上方に窪む部位に挿入されることにより前記網戸が取り付けられることが望ましい。
【００１１】
かかる建具であって、前記上枠及び前記左右の縦枠はそれぞれ、断熱部材を介して見込み方向連結された異なる２つの部材にて構成されており、前記覆い部材は、前記２つの部材のうちのいずれか一方のみに取り付けられていることが望ましい。
【００１２】
このような建具によれば、覆い部材が断熱部材を介して見込み方向連結された異なる２つの部材のうちのいずれか一方にのみ当接されて取り付けられているので、覆い部材を介して２つの部材のうちの一方側から他方側へ熱が伝達される畏れはない。このため、建具の断熱性を確保しつつ框を覆うことが可能である。
【発明の効果】
【００１３】
本発明によれば、枠体を変更することなく框を視界から隠すことが可能な建具を提供することができるという効果がある。
【発明を実施するための最良の形態】
【００１４】
以下、本発明の一実施形態に係る建具について図面を参照して説明する。  
本実施形態では建具として、建物の開口に設けられた枠体に回動可能に設けられた障子を、一方側としての屋内側に設けられたハンドルを操作することにより開閉可能な縦辷り出し窓を例に挙げて説明する。以下の説明では、建具を屋内側から見た状態にて上下となる方向を上下方向、及び左右となる方向を左右方向又は見付け方向、屋内外となる方向見込み方向として説明する。尚、障子単体としての説明であっても、障子を枠体に取り付けた状態における上下を上下方向として説明する。
【００１５】
本実施形態に係る建具１０は、図１、図２に示すように、開口３が設けられて屋内外の境界となる壁１内の躯体２に取り付けられた枠体２０と、枠体２０を構成する上枠２２及び下枠２５に回動自在に支持された障子５０と、障子５０を開閉するために操作するハンドル６２を有する開閉機構部６０と、障子５０に対し見込み方向における一方側としての屋内側に着脱自在に設けられる網戸６８と、枠体２０に取り付けられて障子５０の見込み方向における一方側としての屋内側の側面５２ａを覆う覆い部材７０と、を有している。本実施形態の建具１０が開かれる際には、上枠２２及び下枠２５に支持された障子５０が回動して、見込み方向における他方側としての屋外側に突出する。
【００１６】
建具１０が設けられている屋内側の壁面には内面材１ａが躯体２に取り付けられており、内面材１ａと枠体２０との端部を覆うように全周に亘って額縁５が設けられている。
【００１７】
枠体２０は、障子５０の上下に位置する上枠２２及び下枠２５と、左右に位置する縦枠３０、３２を有し、矩形状に枠組みされている。以下の説明では、左に位置する縦枠を左縦枠３０、右に位置する縦枠を右縦枠３２という。
【００１８】
上枠２２は、見込み方向における屋外側に配置され躯体２に屋外側からねじ止めされた外側上枠部２３と、外側上枠部２３と断熱部材２９を介して屋内側に設けられ、額縁５を介して躯体２にねじ止めされた内側上枠部２４とを有しており、断熱部材２９と共に一体成形されたアルミニウム製の押出部材である。
【００１９】
外側上枠部２３は、躯体２の屋外側の面に当接されてねじ止めされる外側取付部２３ａと、外側取付部２３ａの下端と繋がった中空部２３ｂと、中空部２３ｂの屋外側の下端に障子５０の上框５４が当接されるシール材９が取り付けられるシール取付凹部２３ｃと、中空部２３ｂの屋内側の下端に断熱部材２９の屋外側の端部が収容された断熱部材収容部２３ｄと、を有している。
【００２０】
内側上枠部２４は、中空部２４ａと、中空部２４ａの上面における屋外側に立設されて断熱部材２９の屋内側の端部が収容される断熱部材収容部２４ｂと、中空部２４ａの屋内側の端部から上方に立設されて先端が躯体２に当接された内側壁部２４ｃと、中空部２４ａの屋内側の下端からほぼ水平方向に延設されて、屋内側から躯体２の下側に亘って設けられた額縁５の下面に当接されてねじ止めされた内側取付部２４ｄと、中空部２４ａの屋外側の下端から屋外側にほぼ水平に突出された突出部２４ｅと、突出部２４ｅの屋外側の端部から垂設され下端部に上框５４が当接されるシール材９が保持されるシール保持部２４ｆと、を有している。
【００２１】
下枠２５は、見込み方向における屋外側に配置され躯体２に屋外側からねじ止めされた外側下枠部２６と、外側下枠部２６と断熱部材２９を介して屋内側に設けられ躯体２上に載置されるとともに額縁５にねじ止めされた内側下枠部２７とを有しており、断熱部材２９と共に一体成形されたアルミニウム製の押出部材である。
【００２２】
外側下枠部２６は、躯体２の屋外側の面に当接されてねじ止めされる外側取付部２６ａと、外側取付部２６ａの上端と繋がって上下２つの空間を有する中空部２６ｂと、中空部２６ｂの屋外側の上端に障子５０の下框５５が当接されるシール材９が取り付けられるシール取付凹部２６ｃと、中空部２６ｂの屋内側の上端に断熱部材２９の屋外側の端部が収容された断熱部材収容部２６ｄと、を有している。
【００２３】
内側下枠部２７は、中空部２７ａと、中空部２７ａの屋外側の下端に断熱部材２９の屋内側の端部が収容される断熱部材収容部２７ｂと、中空部２７ａの屋内側にて下方に垂設されて躯体２に当接される脚部２７ｃと、中空部２７ａから屋内方向に延出されて額縁５にねじ止めされる内側下取付部２７ｄと、中空部２７ａの屋外側に設けられ障子５０の下框５５がシール材９を介して当接される下框当接部２７ｅと、中空部２７ａの上方に設けられた網戸係合部２７ｆと、を有している。
【００２４】
網戸係合部２７ｆは、中空部２７ａの上方に立設されて網戸６８の屋内側に配置される網戸ガイド部２７ｈと、網戸ガイド部２７ｈの上端より低い位置から屋外側に延設され、網戸６８が載置される網戸載置部２７ｉとを有している。網戸載置部２７ｉは、上枠２２の内側上枠部２４が有する中空部２４ａ、及び、中空部２４ａの屋外側の端部の下端から突出された突出部２４ｅと対向する位置に配置されている。
【００２５】
図３に示すように、左縦枠３０と右縦枠３２とは、左右対称形状なので、ここでは、右縦枠３２について説明し、左縦枠３０は右縦枠３２と対称な部位に同符号を付して説明は省略する。
【００２６】
右縦枠３２は、見込み方向における屋外側に配置され躯体２に屋外側からねじ止めされた外側縦枠部３３と、外側縦枠部３３と断熱部材２９を介して屋内側に設けられ額縁５に皿ねじにて止められた内側縦枠部３４とを有しており、断熱部材２９と共に一体成形されたアルミニウム製の押出部材である。
【００２７】
外側縦枠部３３は、躯体２の屋外側の面に当接されてねじ止めされる外側取付部３３ａと、見込み方向に沿う面を有する外側面部３３ｂと、外側面部３３ｂの屋内側の端部に設けられ断熱部材２９の屋外側の端部が収容される断熱部材収容部３３ｃと、障子５０の右框５６の屋外側の部位がシール材９を介して当接される框外側当接部３３ｄと、を有している。
【００２８】
内側縦枠部３４は、外側面部３３ｂの内側にほぼ直線上に配置される内側面部３４ａと、内側面部３４ａの屋外側の端部にて躯体２側に突出して断熱部材２９の屋内側の端部が収容される断熱部材収容部３４ｂと、内側面部３４ａの屋外側の端部から断熱部材収容部３４ｂと反対方向に突出されて障子５０の右框５６の屋内側の部位がシール材９を介して当接される框内側当接部３４ｃと、框内側当接部３４ｃの屋内側に設けられ框内側当接部３４ｃと対向するように反躯体側に突出させて設けられ、先端に屋外側に突出された係合片３４ｅが形成された突出部３４ｄと、係合片３４ｅとほぼ直線上に形成され屋内側にて額縁にねじ止めされる屋内側固定部３４ｈと、框内側当接部３４ｃにおいて係合片３４ｅと対向する位置に設けられ屋内側に向かって突出する突起３４ｆと、を備えている。
【００２９】
係合片３４ｅと突起３４ｆとは見込み方向に間隔を隔てて対向する位置に設けられており、係合片３４ｅ及び突起３４ｆより躯体２側には、框内側当接部３４ｃと内側面部３４ａと突出部３４ｄとにて囲まれ、係合片３４ｅと突起３４ｆとの間にて連通された空間３４ｇが形成されている。この空間３４ｇには右覆い部材７４の端部が挿入され、右覆い部材７４は係合片３４ｅ及び突起３４ｆと係合することにより右縦枠３２に取り付けられる。ここで、係合片３４ｅと突起３４ｆを含み、連通された空間３４ｇを構成する部位が、見付け方向に向かって開放された凹部である取付部の一例である。
【００３０】
障子５０は、２枚のガラス５１ａを有する面材としてのガラスユニット５１と、ガラスユニット５１の外周縁部を収容しガスケット５９を介して保持する框体５２とを有している。框体５２を構成し矩形状に枠組みされ、ガラスユニット５１の上下に配置された横框である上框５４及び下框５５と、ガラス５１ａの左右に配置された縦框である右框５６及び左框５７とは、屋外側の部位が屋内側の部位より、それぞれ枠体側に突出させて形成されており、各框５４、５５、５６、５７の屋内側及び屋外側の部位がそれぞれ枠体２０に設けられたシール材９に当接されている。
【００３１】
網戸６８は、図２、図３に示すように、矩形状に形成された網戸用框６８ａの内周側に、網戸用框６８ａの内周側に突出されて網材６８ｂの端部を保持するための保持部６８ｃが全周に亘って設けられている。網戸用框６８ａは断面が矩形状をなす中空の押出成形部材であり、保持部６８ｃは網戸用框６８ａの見込み方向における厚みのおよそ半分より屋外側に設けられ、屋外側に向かう開放部６８ｄを有している。
【００３２】
保持部６８ｃには開放部６８ｄ側から網材６８ｂの端部が挿入されてゴム製の取付部材６８ｅが収容されて網材６８ｂが保持されている。網戸６８が取り付けられた際に、上方に位置する網戸用框６８ａの見付け方向におけるほぼ中央には、網戸６８を枠体２０側に保持させるためのラッチ部材６９が設けられている。
【００３３】
ラッチ部材６９は、ケーシング６９ａと、ケーシング６９ａ内に収容可能に上方に突出されると共に上方に付勢されたスライド部材６９ｂと、ケーシング６９ａから下方に突出されてスライド部材６９ｂを上下に移動させるための把持部６９ｃとを有している。
【００３４】
ケーシング６９ａは上方の網戸用框６８ａ内に収容され、スライド部材６９ｂは上方の網戸用框６８ａより上方に突出され、把持部６９ｃは網材６８ｂより屋内側にて上方の網戸用框６８ａの下方に突出されている。そして、把持部６９ｃを下方に引くことによりスライド部材６９ｂがケーシング６９ａ内に収容され、把持部６９ｃを引く力を弱めるとスライド部材６９ｂに作用する付勢力にてスライド部材６９ｂがケーシング６９ａ及び網戸用框６８ａの上方に突出する。
【００３５】
枠体２０には、覆い部材７０として、上枠２２に取り付けられる上覆い部材７２、左縦枠３０に取り付けられる左覆い部材７６、右縦枠３２に取り付けられる右覆い部材７４、が、矩形状の枠体２０の三方に設けられている。上覆い部材７２、左覆い部材７６、及び、右覆い部材７４はいずれもアルミニウム製の押出成形部材である。
【００３６】
上覆い部材７２は、図２に示すように、内側上枠部２４の中空部２４ａの下面及び突出部２４ｅに対向し、下方に間隔を隔てて配置される水平部７２ａと、水平部７２ａの屋内側の端部と繋がって水平部７２ａより下方に突出された垂設突部７２ｂと、水平部７２ａの屋外側の端部と繋がって垂設され内側上枠部２４のシール保持部２４ｆと屋内側にて間隔を隔てて配置された内側壁部７２ｃと、内側壁部７２ｃの下端から屋内側に延設されシール保持部２４ｆの下面に沿わされた延設部７２ｄと、シール保持部２４ｆの屋外側の縁と揃うように垂設され延設部７２ｄの屋外側の端と繋がった外側壁部７２ｅとを有している。
【００３７】
水平部７２ａの上面には上方に突出されて内側上枠部２４に当接される上突起７２ｆが設けられている。  
垂設突部７２ｂは、水平部７２ａの屋内側の端から垂設された垂設壁部７２ｇと、垂設壁部７２ｇと屋内側に間隔を隔てて配置される屋内側壁部７２ｈと、垂設壁部７２ｇと屋内壁部との下端を連結する壁連結部７２ｉとが繋がって形成されている。壁連結部７２ｉは水平部７２ａより下方に配置され、屋内側壁部７２ｈの上端は水平部７２ａより上方に配置されて内側上枠部２４に当接するように構成されている。
【００３８】
また、水平部７２ａは見込み方向に沿う面を形成しており、この見込み方向に沿う面に上覆い部材７２を上枠２２に固定するねじが貫通される取付孔としての貫通孔（不図示）が設けられている。そして、上覆い部材７２が上枠２２にねじ止めされる際には、ねじは貫通孔を通って内側上枠部２４の中空部２４ａの下面に螺合される。ねじが螺合された状態で、ねじ頭部が垂設突部７２ｂより下方に突出しないように垂設突部７２ｂは水平部７２ａより下方に突出している。
【００３９】
内側壁部７２ｃの上端部と屋外側の面には、屋外側に向かって突出されてシール保持部２４ｆに当接される側方突起７２ｊが設けられている。  
外側壁部７２ｅは、障子５０の上框５４と対向する位置に配置され、その下端は上框５４の下端とほぼ同じ位置まで延出されている。
【００４０】
左覆い部材７６と右覆い部材７４とは、左右対称形状なので、ここでは、右覆い部材７４について説明し、左覆い部材７６は右覆い部材７４と対称な部位に同符号を付して説明は省略する。
【００４１】
右覆い部材７４は、図３に示すように、内側縦枠部３４に嵌合される嵌合部を有する本体部７４ａと、本体部７４ａと繋がって反右枠材側に設けられた覆い壁部７４ｃとを有している。本体部７４ａは、内側縦枠部３４の突出部３４ｄとほぼ直線状に位置するように配置される内側嵌合壁部７４ｄと、内側嵌合壁部７４ｄと見込み方向に間隔を隔てて配置され内側嵌合壁部７４ｄと対向する外側嵌合壁部７４ｅと、内側嵌合壁部７４ｄと外側嵌合壁部７４ｅとを反右枠材側にて連結し見込み方向に沿う壁面を形成する嵌合連結壁部７４ｆとを有している。
【００４２】
内側嵌合壁部７４ｄの右枠側には、框内側当接部３４ｃと内側面部３４ａと突出部３４ｄとにて囲まれた空間３４ｇ内に挿入されて係合片３４ｅと係合する内側係合部７４ｇが設けられ、外側嵌合壁部７４ｅの右枠側には、框内側当接部３４ｃと内側面部３４ａと突出部３４ｄとにて囲まれた空間３４ｇ内に挿入されて突起３４ｆと係合する外側係合部７４ｈが設けられている。
【００４３】
覆い壁部７４ｃは、嵌合連結壁部７４ｆが屋外側に延設されて内側縦枠部３４の框内側当接部３４ｃに当接される部位の端部側から見付け方向における反右枠材側に設けられており、その先端は、閉止された障子５０の右框５６の先端とほぼ同じ位置まで延出されている。覆い壁部７４ｃには、先端部と本体部側とに屋外側に突設されたリブ７４ｉが設けられている。本体部側のリブ７４ｉは右覆い部材７４が内側縦枠部３４に嵌合された際に、框内側当接部３４ｃの左側面に沿って当接されるように構成されている。
【００４４】
本実施形態の建具１０は、上枠２２の内側上枠部２４が有する中空部２４ａに上覆い部材７２がねじにて固定され、左右の左縦枠３０及び右縦枠３２の係合片３４ｅと内側係合部７４ｇとが、突起３４ｆと外側係合部７４ｈとが係合されて左覆い部材７６及び右覆い部材７４が取り付けられる。取り付けられた上覆い部材７２、左覆い部材７６、右覆い部材７４は、障子５０の上框５４、左框５７、右框５６の先端とほぼ同じ位置まで突出しており、上框５４、左框５７、右框５６の見込み方向における屋内側の側面５２ａを覆うように構成されている。
【００４５】
また、上覆い部材７２、左覆い部材７６、右覆い部材７４が取り付けられた状態で、網戸６８が取り付け可能となる。網戸６８を取り付ける場合には、まず、網戸６８の上端側が下端側より屋内側に位置するように傾けて、網戸６８の下端部を屋内側から下枠２５の網戸係合部２７ｆが有する網戸ガイド部２７ｈの屋外側に挿入すると共に網戸載置部２７ｉに載置しつつ網戸６８の姿勢が鉛直方向に沿うように移動させる。このとき、網戸６８の上部に設けられているラッチ部材６９の把持部６９ｃを引いてスライド部材６９ｂをケーシング６９ａ側に引き寄せておく。
【００４６】
網戸６８をほぼ鉛直に立てると、網戸用框６８ａが、上覆い部材７２の内側壁部７２ｃ、左覆い部材７６及び右覆い部材７４の覆い壁部７４ｃと対向する。そして、ラッチ部材６９の把持部６９ｃを解放することによりスライド部材６９ｂに付勢力が作用し、スライド部材６９ｂの上端が上覆い部材７２の壁連結部７２ｉより上方に移動して網戸６８が枠体２０側に保持される。また、取り付けられた網戸６８はラッチ部材６９を操作することにより容易に取り外すことが可能である。
【００４７】
本実施形態の建具１０によれば、障子５０が備える上框５４、左框５７、右框５６の屋内側の側面５２ａを覆う上覆い部材７２、左覆い部材７６、右覆い部材７４、が枠体２０に取り付けられているので、見込み方向における屋内側から見たときには、枠体２０に取り付けられた上覆い部材７２、左覆い部材７６、右覆い部材７４により障子５０の上框５４、左框５７、右框５６がそれぞれ覆われて隠されている。すなわち、枠体２０に上覆い部材７２、左覆い部材７６、右覆い部材７４を取り付けるだけで、既存の枠体２０を変更することなく、屋内側の視界から上框５４、左框５７、右框５６を隠すことが可能である。
【００４８】
また、障子５０の屋内側に配置される網戸６８は、ラッチ部材６９のスライド部材６９ｂが係合する部材を別途設けることなく枠体２０に上覆い部材７２を介して取り付けることが可能である。
【００４９】
また、上覆い部材７２が取り付けられる貫通孔は水平部７２ａの見込み方向に沿う面に設けられており、左覆い部材７６及び右覆い部材７４を取り付けるために左覆い部材７６及び右覆い部材７４が挿入される空間３４ｇは見付け方向における反枠体側、すなわち枠体２０が設けられている開口３の中央側に向かって開放されているので、上覆い部材７２、左覆い部材７６、右覆い部材７４を用いない場合や取り外した場合であっても、貫通孔や取付部となる空間３４ｇに連通する開口は屋内側からは視認されにくい。このため、上覆い部材７２、左覆い部材７６、右覆い部材７４を用いない場合や取り外した場合であっても美観に優れた建具１０を提供することが可能である。
【００５０】
また、上覆い部材７２は、断熱部材２９を介して見込み方向に連結された外側上枠部２３と内側上枠部２４とのうちの内側上枠部２４のみに取り付けられているので、上覆い部材７２を介して屋外側から屋内側へ熱が伝達される畏れはない。また、左覆い部材７６、右覆い部材７４も、断熱部材２９を介して見込み方向連結された外側縦枠部３３と内側縦枠部３４とのうちの内側縦枠部３４のみに当接されて取り付けられているので、左覆い部材７６または右覆い部材７４を介して屋外側から屋内側へ熱が伝達される畏れはない。このため、建具１０の断熱性を確保しつつ障子５０の上框５４、左框５７、右框５６を覆うことが可能である。
【００５１】
上記実施形態においては、ラッチ部材の上下方向に移動するスライド部材が上方に突出した際に、上覆い部材７２が有する垂設突部７２ｂの屋外側に挿入されて網戸６８が取り付けられる例について説明したが、これに限るものではない。例えば、図４に示すように、上記実施例の上覆い部材７２における内側壁部７２ｃを延設部７２ｄより下方に延出させた上覆い部材７３を上枠２２に取り付け、上側の網戸用框６８ａの屋外側に、屋内側からの操作により上下方向に移動可能なスライド部材７８ａを有するラッチ部材７８を備えた構成としてもよい。この場合には上側の網戸用框６８ａの屋外側にてスライド部材７８ａが、内側壁部７３ａの延設部７３ｂより下方に延出させた部位７３ｃに係合されることにより網戸６８が取り付けられる。
【００５２】
また、網戸６８の上端を上枠２２に係止する方法は、スライドタイプのラッチ機構に限るものではない。例えば、図５、図６に示すように網戸６８の上側の網戸用框６８ａに回動させて上覆い部材と係合する回動式の係合機構７５を備えた構成としても良い。
【００５３】
この場合にも例えば、覆い部材として延設部７３ｂより下方に延出させた部位７３ｃを有する上覆い部材７３を上枠２２に取り付けておく。そして、網戸６８の上側の網戸用框６８ａには、屋内側に硬貨やドライバなどにて回動させることが可能な操作部７５ａを設け、操作部７５ａから見込み方向に繋がって網戸用框６８ａの屋外側に突出する軸部７５ｂの先端に係合部材７５ｃを設けておく。係合部材７５ｃは、見込み方向に臨む面が長方形状をなし、軸部７５ｂに固定されて長辺側が上下方向に沿わされたときに係合部材７５ｃの先端側が網戸用框６８ａより上方に突出し、短辺側が上下方向に沿わされたときに係合部材７５ｃが網戸用框６８ａより上方に突出しないように構成されている。
【００５４】
そして、係合部材７５ｃが網戸用框６８ａの上方に突出しない状態にて、網戸６８を枠体２０に配置した後、操作部７５ａを操作することにより係合部材７５ｃを回動させて、その先端が網戸用框６８ａから上方に突出されると共に上覆い部材７３の延設部７３ｂより下方に延出された部位７３ｃに係合されて網戸６８が取り付けられる。
【００５５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５６】
【図１】本実施形態に係る建具を屋内側から見た外観図である。
【図２】建具の構造を説明するための縦断面図である。
【図３】建具の構造を説明するための横断面図である。
【図４】網戸の、異なる係止構造を説明するための縦断面図である。
【図５】本実施形態に係る建具が有する網戸を取り付ける回動係止部材を説明するための外観図である。
【図６】回動係止部材を説明するための断面図である。
【符号の説明】
【００５７】
３  開口、１０  建具、２０  枠体、２２  上枠、２３  外側上枠部、
２４  内側上枠部、２５  下枠、２９  断熱部材、３０  左縦枠、３２  右縦枠、
３３  外側縦枠部、３４  内側縦枠部、５０  障子、５１  ガラスユニット、
５２  框体、５２ａ  側面、５４  上框、５５  下框、５６  右框、５７  左框、
６８  網戸、６８ａ  網戸用框、６９  ラッチ部材、７０  覆い部材、
７２  上覆い部材、７２ｅ  外側壁部、７３  上覆い部材、７４  右覆い部材、
７５  係合機構、７６  左覆い部材、７８  ラッチ部材
【図１】
0004870119.tif 000002
【図２】
0004870119.tif 000003
【図３】
0004870119.tif 000004
【図４】
0004870119.tif 000005
【図５】
0004870119.tif 000006
【図６】
0004870119.tif 000007